(57)【要約】トラヒックチャンネルに関する制御情報を制御チャンネルを介して送信する移動通信システムにおいて、トラヒックチャンネルの制御情報を使用して電力制御を遂行する方法及び装置を提供する。時間区間ごとにトラヒックチャンネルに関する制御情報を選択し、少なくとも１つの制御情報にエラーがあると、電力制御を遂行することができるようにエラー検出情報を生成し、生成されたエラー検出情報をあらかじめ決定された時間区間で、あらかじめ決定された時間区間の制御情報と共に符号化して、符号化された情報を制御チャンネルを介して送信する。
2006520121.tif 000002
【特許請求の範囲】
【請求項１】
移動端末機が逆方向トラヒックチャンネルに関する制御情報に対するエラー検出情報を送信する移動通信システムにおいて、前記移動端末機が前記逆方向トラヒックチャンネルに関する制御情報を制御チャンネルを介して送信する方法であって、
時間区間ごとに逆方向トラヒックチャンネルに関する制御情報を生成するステップと、
生成された少なくとも１つの制御情報のエラー検出情報を生成するステップと、
あらかじめ決定された時間区間の間に前記生成されたエラー検出情報及び前記制御情報を送信するステップと、
前記あらかじめ決定された時間区間以外の時間区間の間に、前記制御情報を送信するステップと
を含むことを特徴とする方法。
【請求項２】
前記あらかじめ決定された時間区間は、あらかじめ決定された周期の区間で反復されることを特徴とする請求項１記載の方法。
【請求項３】
前記あらかじめ決定された時間区間は、前記エラー検出情報による干渉を最小化するためにあらかじめ決定された周期に配列されることを特徴とする請求項２記載の方法。
【請求項４】
前記生成されたエラー検出情報を前記制御情報と共に符号化した後、前記符号化された情報を制御チャンネルを介して送信するステップをさらに含むことを特徴とする請求項１記載の方法。
【請求項５】
前記生成されたエラー検出情報を前記制御チャンネルとは異なるエラー検出チャンネルを介して送信するステップをさらに含むことを特徴とする請求項１記載の方法。
【請求項６】
前記生成されたエラー検出情報は、ランダムに配列された時間区間で前記エラー検出チャンネルを介して送信されることを特徴とする請求項５記載の方法。
【請求項７】
前記生成されたエラー検出情報は、前記移動端末機が属するグループに割り当てられた時間区間で送信されることを特徴とする請求項１又は請求項５記載の方法。 
【請求項８】
前記エラー検出情報を生成するステップは、
前記逆方向トラヒックチャンネルに関する制御情報を貯蔵するステップと、
現在の時点が前記制御情報に対するエラー検出情報を生成する時点であるかを判断するステップと、
前記現在の時点が前記エラー検出情報を生成する時点であると判断されると、前記貯蔵された制御情報に対するエラー検出情報を生成するステップと
を含むことを特徴とする請求項１記載の方法。
【請求項９】
前記貯蔵された制御情報は、少なくとも１つの制御情報を含むことを特徴とする請求項８記載の方法。
【請求項１０】
移動端末機が逆方向トラヒックチャンネルに関する制御情報に対するエラー検出情報を送信する移動通信システムにおいて、前記移動端末機が前記逆方向トラヒックチャンネルに関する制御情報を制御チャンネルを介して送信する装置であって、
時間区間ごとに前記逆方向トラヒックチャンネルの制御情報を生成する制御情報生成部と、
生成された少なくとも１つの制御情報のエラー検出情報を生成するエラー検出情報生成部と、
前記生成されたエラー検出情報及び前記制御情報をあらかじめ決定された時間区間の間に送信することを許容し、前記あらかじめ決定された時間区間以外の時間区間の間に前記制御情報を送信することを許容する制御部と
を含むことを特徴とする装置。
【請求項１１】
前記あらかじめ決定された時間区間は、あらかじめ決定された周期の区間で反復されることを特徴とする請求項１０記載の装置。
【請求項１２】
前記あらかじめ決定された時間区間は、前記エラー検出情報による干渉を最小化するためにあらかじめ決定された周期に配列されることを特徴とする請求項１０記載の装置。
【請求項１３】
前記あらかじめ決定された時間区間で生成されたエラー検出情報を制御情報と共に符号化する符号化器をさらに含むことを特徴とする請求項１０記載の装置。
【請求項１４】
前記生成されたエラー検出情報及び前記制御情報をそれぞれ符号化するサブ符号化部をさらに含むことを特徴とする請求項１０記載の装置。
【請求項１５】
前記制御部は、
前記エラー検出情報の送信をランダムに配列される時間区間の間に許容することを特徴とする請求項１４記載の装置。
【請求項１６】
前記制御部は、
前記エラー検出情報の送信を前記移動端末機が属するグループに割り当てられた時間区間の間に許容することを特徴とする請求項１４記載の装置。
【請求項１７】
基地局が逆方向トラヒックチャンネルの制御情報を受信する移動通信システムにおいて、前記基地局が前記逆方向トラヒックチャンネルに関する制御情報に対するエラー検出情報を受信する方法であって、
あらかじめ決定された時間区間で前記制御情報及び少なくとも１つの制御情報のエラー検出のためのエラー検出情報を受信するステップと、
前記あらかじめ決定された時間区間以外の残りの時間区間で前記制御情報を受信するステップと、
前記受信されたエラー検出情報に基づいて、前記少なくとも１つの制御情報にエラーが存在するか否かを判断するステップと
を含むことを特徴とする方法。
【請求項１８】
前記あらかじめ決定された時間区間は、あらかじめ決定された周期の区間で反復されることを特徴とする請求項１７記載の方法。
【請求項１９】
あらかじめ決定された時間区間は、前記エラー検出情報による干渉を最小化するためにあらかじめ決定された周期に配列されることを特徴とする請求項１７記載の方法。
【請求項２０】
前記制御情報及び前記エラー検出情報を受信するステップは、前記制御情報及び前記エラー検出情報を制御チャンネルを介して受信することを特徴とする請求項１７記載の方法。
【請求項２１】
前記エラー検出情報を前記制御チャンネルとは異なるエラー検出チャンネルを介して受信するステップをさらに含むことを特徴とする請求項１７記載の方法。
【請求項２２】
前記エラー検出情報は、前記エラー検出チャンネルを介してランダムに配列された時間区間の間に受信されることを特徴とする請求項２１記載の方法。 
【請求項２３】
前記エラー検出情報は、前記移動端末機が属するグループに割り当てられた時間区間の間に受信されることを特徴とする請求項１７又は請求項２１記載の方法。
【請求項２４】
前記制御情報及び前記エラー検出情報を得るために、あらかじめ決定された時間区間の間に制御チャンネルを介して受信された信号を復号化するステップをさらに含むことを特徴とする請求項１７記載の方法。
【請求項２５】
前記少なくとも１つの制御情報にエラーが存在するかを否かに基づいて、アウターループ電力制御のための基準点を調節するステップをさらに含むことを特徴とする請求項１７記載の方法。
【請求項２６】
前記制御情報を生成するために、前記あらかじめ決定された時間区間以外の残りの時間区間で制御チャンネルから受信された信号を復号化し、アウターループ電力制御のための基準点を保持するステップをさらに含むことを特徴とする請求項１７記載の方法。
【請求項２７】
基地局が逆方向トラヒックチャンネルの制御情報を受信する移動通信システムにおいて、前記基地局が前記逆方向トラヒックチャンネルに関する制御情報に対するエラー検出情報を受信する装置であって、
前記あらかじめ決定された時間区間で受信された前記制御情報及び前記エラー検出情報を復号化する第１の復号部と、
前記あらかじめ決定された時間区間以外の残りの時間区間で制御情報を生成する第２の復号部と、
前記復号されたエラー検出情報に基づいて、少なくとも１つの制御情報にエラーが存在するか否かを判断するエラー検査部と
を含むことを特徴とする装置。
【請求項２８】
前記少なくとも１つの制御情報に前記エラーが存在するか否かに基づいて、アウターループ電力制御のための基準点を調節する基準点制御部をさらに含むことを特徴とする請求項２７記載の装置。
【請求項２９】
現在の時点が前記あらかじめ決定された時間区間であるか、又はあらかじめ決定された時間区間以外の時間区間であるかを判断し、前記判断の結果に基づいて、前記第１及び第２の復号部のうちの１つを選択してイネーブルさせることを特徴とする請求項２７記載の装置。
【請求項３０】
前記あらかじめ決定された時間区間は、あらかじめ決定された周期の区間で反復されることを特徴とする請求項２７記載の装置。
【請求項３１】
基地局が逆方向トラヒックチャンネルの制御情報を受信する移動通信システムにおいて、前記基地局が前記逆方向トラヒックチャンネルに関する制御情報に対するエラー検出情報を受信する装置であって、
時間区間ごとに制御チャンネルを介して受信された制御情報を復号化する第１の復号部と、
あらかじめ決定された時間区間の間にエラー検出チャンネルを介して受信された少なくとも１つの制御情報のエラー検出情報を復号化する第２の復号部と、
前記エラー検出チャンネルを介して受信されたエラー検出情報に基づいて、前記少なくとも１つの制御情報にエラーがあるか否かを判断するエラー検査部と
を含むことを特徴とする装置。
【請求項３２】
前記第２の復号部は、ランダムに配列された時間区間の間に前記エラー検出チャンネルを介して受信されたエラー検出情報を復号化することを特徴とする請求項３１記載の装置。
【請求項３３】
前記第２の復号部は、前記移動端末機に割り当てられた時間区間の間に前記移動端末機から受信されたエラー検出情報を復号化することを特徴とする請求項３１記載の装置。
【請求項３４】
前記少なくとも１つの制御情報にエラーがあるか否かに基づいて、アウターループ電力制御のための基準点を調節する基準点制御部をさらに含むことを特徴とする請求項３１記載の装置。
【請求項３５】
移動端末機が逆方向トラヒックチャンネルに関する制御情報に対するエラー検出情報を送信する移動通信システムにおいて、前記移動端末機が前記逆方向トラヒックチャンネルに関する制御情報を制御チャンネルを介して送信する方法であって、
時間区間ごとに逆方向トラヒックチャンネルに関する制御情報を生成するステップと、
選択された少なくとも１つの制御情報にエラーがあるか否かを判断するためのエラー検出情報を生成するステップと、
前記生成されたエラー検出情報をあらかじめ決定された時間区間の間に分け、前記分けられたエラー検出情報及び前記生成された制御情報を送信するステップと
を含むことを特徴とする方法。
【請求項３６】
現在の時点が前記少なくとも１つの制御情報に対する前記エラー検出情報を生成する時間区間であるかを判断するステップをさらに含むことを特徴とする請求項３６記載の方法。
【請求項３７】
前記エラー検出情報及び前記制御情報を復号化して制御チャンネルを介して前記復号された情報を送信するステップをさらに含むことを特徴とする請求項３５記載の方法。
【請求項３８】
前記制御情報は、制御チャンネルを介して送信され、前記エラー検出情報は、エラー検出チャンネルを介して送信されることを特徴とする請求項３５記載の方法。
【請求項３９】
移動端末機が逆方向トラヒックチャンネルに関する制御情報に対するエラー検出情報を送信する移動通信システムにおいて、前記移動端末機が前記逆方向トラヒックチャンネルに関する制御情報を制御チャンネルを介して送信する装置であって、
時間区間ごとに逆方向トラヒックチャンネルの制御情報を生成して貯蔵する制御情報貯蔵部と、
少なくとも１つの制御情報のエラー検出に関するエラー検出情報を貯蔵するエラー検出情報貯蔵部と、
前記エラー検出情報をあらかじめ決定された時間区間に分け、前記分けられたエラー検出情報及び前記生成された制御情報を送信することを制御する制御部と
を含むことを特徴とする装置。
【請求項４０】
前記制御部は、前記エラー検出情報及び前記制御情報の符号化及び制御チャンネルを介した送信を制御することを特徴とする請求項３９記載の装置。
【請求項４１】
前記制御情報は、制御チャンネルを介して送信され、前記エラー検出情報は、エラー検出チャンネルを介して送信されることを特徴とする請求項３９記載の装置
【請求項４２】
基地局が逆方向トラヒックチャンネルの制御情報を受信する移動通信システムにおいて、前記基地局が前記逆方向トラヒックチャンネルに関する制御情報に対するエラー検出情報を受信する方法であって、
時間区間ごとに逆方向トラヒックチャンネルに関する制御情報を受信するステップと、
受信された少なくとも１つの制御情報のエラー検出のためのエラー検出情報を受信するステップと、ここで、前記エラー検出情報は、あらかじめ決定された時間区間に分けて受信されるステップと、
前記分けられたエラー検出情報がすべて受信されると、前記少なくとも１つの制御情報にエラーが存在するか否かを判断するステップと
を含むことを特徴とする方法。
【請求項４３】
前記エラー検出情報及び前記制御情報を符号化された制御チャンネルを介して受信するステップをさらに含むことを特徴とする請求項４２記載の方法。 
【請求項４４】
前記制御情報は、制御チャンネルを介して受信され、前記エラー検出情報は、エラー検出チャンネルを介して受信されることを特徴とする請求項４２記載の方法。
【請求項４５】
前記少なくとも１つの制御情報にエラーが存在するか否かに基づいて、アウターループ電力制御のための基準点を調節するステップをさらに含むことを特徴とする請求項４２記載の方法。
【請求項４６】
基地局が逆方向トラヒックチャンネルに関する制御情報を受信する移動通信システムにおいて、前記基地局が前記逆方向トラヒックチャンネルに関する制御情報に対するエラー検出情報を受信する装置であって、
時間区間ごとに逆方向トラヒックチャンネルの制御情報を受信して貯蔵する制御情報貯蔵部と、
あらかじめ決定された時間区間に分けて受信された少なくとも１つの受信制御情報のエラー検出のためのエラー検出情報を貯蔵するエラー検出情報貯蔵部と、
前記分けられたエラー検出情報をすべて受信すると、前記少なくとも１つの制御情報にエラーがあるか否かを判断するエラー検査部と
を含むことを特徴とする装置。
【請求項４７】
前記エラー検出情報及び前記制御情報は、前記符号化された制御チャンネルを介して受信されることを特徴とする請求項４６記載の装置。
【請求項４８】
前記制御情報は、制御チャンネルを介して受信され、前記エラー検出情報は、エラー検出チャンネルを介して受信されることを特徴とする請求項４６記載の装置。
【請求項４９】
前記少なくとも１つの制御情報にエラーがあるか否かに基づいて、アウターループ電力制御のための基準点を調節する基準点制御部をさらに含むことを特徴とする請求項４６記載の装置。
【発明の詳細な説明】
【技術分野】
【０００１】
本発明は、移動通信システムに関し、特に、端末機が送信する制御情報の受信性能を一定に保持するために、制御情報のエラー検出情報を送信して受信する装置及び方法に関する。
【背景技術】
【０００２】
典型的な移動通信システムは、その用途に従って２つの形態に分けられる。一番目の形態は、音声サービスを支援し、二番目の形態は、データサービスを支援する。このようなシステムの典型的な例としては、符号分割多重接続（Code Division Multiple Access；以下、‘ＣＤＭＡ’と称する。）方式のシステムがある。音声サービスのみを支援する現在使用されているＣＤＭＡシステムのうちの１つは、ＩＳ（International Standard）−９５及びこれに基づく規格に従う。使用者の要求と共に通信技術が発展するに従って、移動通信システムは、徐々に高速のデータサービスを支援する形態に発展している。例えば、第１世代のＣＤＭＡ ２０００（ＣＤＭＡ ２０００ １ｘ）システムは、音声サービス及び高速のデータサービスを同時に支援するために設計されたものであり、１ｘＥＶＤＯ（Evolution in Data Only）システムは、ＣＤＭＡ ２０００ １ｘシステムに基づいて、可能なすべての資源をデータサービスに割り当てることによって、高速のデータサービスのみを支援することができるように設計されたものである。
【０００３】
移動通信システムは、一般に、順方向及び逆方向の２つの方向に送信を遂行する。上記順方向は、一般に、あらかじめ決定された領域（“セル”と称する）を含む基地局から、上記セル間で移動することができる移動端末機へ送信する方向を示す。上記逆方向は、移動端末機から基地局へ送信する方向を示す。１ｘＥＶＤＯのような移動通信システムにおいて、ユーザデータの逆方向送信において、ユーザデータは、逆方向トラヒックチャンネル（Reverse Traffic Channel；以下、‘Ｒ−ＴＲＣＨ’と称する）を介して０ｋｂｐｓ、９．６ｋｂｐｓ、１９．２ｋｂｐｓ、３８．４ｋｂｐｓ、７６．８ｋｂｐｓ、１５３．６ｋｂｐｓのうちの１つで送信される。基地局は、逆方向トラヒックチャンネルの可能な最大データ送信速度のみを制御し、移動端末機は、基地局の制御下に、上記可能な最大データ送信速度未満のデータ送信速度のうち、実際に用いるデータ送信速度を選択する。移動端末機が用いる逆方向データ送信速度を指示するための情報、すなわち、逆方向送信速度指示子（Reverse Rate Indicator；以下、‘ＲＲＩ’と称する）は、逆方向送信率指示チャンネル（Reverse Rate Indicator Channel；以下、‘Ｒ−ＲＩＣＨ’と称する）を介して基地局へ報告される。
【０００４】
図１は、典型的なＲ−ＲＩＣＨの構成を示し、図１を参照すると、Ｒ−ＲＩＣＨ１１０のＲＲＩは、２６．６７ｍｓの時間区間ごとに対応するトラヒックチャンネル１２０のデータトラヒックと同一の時間区間の間に送信される。時間区間ごとに送信されるデータ単位をフレーム（frame）と定義すると、ｉ番目のフレーム（frame）を運搬するトラヒックチャンネルに対するＲＲＩは、ｉ番目の時間区間の間に送信される。ＲＲＩは、３ビットから構成され、下記表１に示すように、ＲＲＩの値は、該当データ送信速度にマッピングされる。
【０００５】
【表１】
2006520121.tif 000003
【０００６】
基地局は、トラヒックチャンネルのｉ番目のフレームを受信するためには、ｉ番目のフレームとしての同一の時間区間（すなわち、ｉ番目の時間区間）の間にＲ−ＲＩＣＨを介して送信される制御情報をまず受信した後に、トラヒックチャンネルに対するチャンネル逆符号化（channel decoding）及び逆拡散（de-spreading）を遂行する。
【０００７】
図２は、移動通信システムにおける移動端末機がＲ−ＲＩＣＨ信号を送信するＲ−ＲＩＣＨ送信器の構成を示すブロック図である。ここで、シンボル当たりの３ビットからなるＲＲＩ（Reverse Rate Indicator）シンボルは、１６スロットごとに送信される。
【０００８】
図２に示すように、単一符号器（Simplex Encoder）２１０は、３ビットのＲＲＩシンボルを符号化して符号化シンボルを出力する。反復器（Codeword Repeater）２２０は、上記符号化シンボルを所定の反復パターン（例えば、所定の回数）に従って反復する。パンクチャラー（Puncturer）２３０は、反復器２２０から反復されたシンボルのうち、最後３個のシンボルをパンクチャーリングする。時分割多重化器（Time Division Multiplexer；ＴＤＭ）２４０は、すべて‘０’であるパイロットチャンネル入力シーケンスをパンクチャラー２３０の出力と多重化して、スロットごとに１２８個の二進シンボルを出力する。信号点マッピング器（Signal Point Mapper）２５０は、多重化器２０４からのシンボル出力を＋１／−１にマッピングする（０／１から＋１／−１に変換）。ウォルシュ拡散器（Walsh Spreader）２６０は、信号点マッピング器２５０からの出力がＲ−ＲＩＣＨを介して送信されることができるように、あらかじめ決定されたウォルシュ符号を乗じて拡散する。
【０００９】
図１に示すようなＲ−ＲＩＣＨ及びこれに関連したトラヒックチャンネルは、図２に示すような送信器が送信したＲ−ＲＩＣＨ信号を受信する時に、上記Ｒ−ＲＩＣＨに対する復号にエラーがない場合にのみ、トラヒックチャンネル信号も復号することができる。すなわち、Ｒ−ＲＩＣＨに対する復号にエラーがある場合に、基地局受信器は、トラヒックチャンネルの実際のデータ送信速度を認識することができず、これによって、エラーがない復号化が難しくなる。従って、１ｘＥＶＤＯシステムでは、Ｒ−ＲＩＣＨの受信性能に従って、トラヒック信号の受信性能も影響を受けるので、Ｒ−ＲＩＣＨの受信エラー確率が十分に低くなるようにする適切な電力制御を遂行することが非常に重要である。
【００１０】
１ｘＥＶＤＯシステムで遂行される電力制御は、２つのタイプに遂行される。一番目は、Ｒ−ＲＩＣＨの受信エネルギー対雑音比（Bit Energy per Noise Ratio；Ｅｂ／Ｎｔ）が、あらかじめ決定された基準点（target setpoint）に近いように送信電力を制御するインナーループ電力制御（inner loop power control）である。二番目は、受信データにエラーが発生した場合に、上記基準点を増加させ、そうでない場合には、上記基準点を減少させるアウターループ電力制御（outer loop power control）である。
【００１１】
しかしながら、図２に示すように、上記復号された結果にエラーがあるか否かを判断するのに必要な付加情報を移動端末機がＲ−ＲＩＣＨを介して送信しないので、基地局は、Ｒ−ＲＩＣＨを介して受信されたデータの復号結果にエラーがあるか否かを判断することができない。従って、移動端末機は、Ｒ−ＲＩＣＨに十分に大きな送信電力を割り当てなければならず、これによって、すべての無線環境でも、基地局が所定の限界値よりも小さいエラー確率でＲ−ＲＩＣＨ信号を受信することができる。しかしながら、このようにＲ−ＲＩＣＨ電力を増加させることは、他のチャンネルとの干渉を増加させる、という問題点があった。
【発明の開示】
【発明が解決しようとする課題】
【００１２】
上記背景に鑑みて、本発明の目的は、移動端末機が逆方向トラヒックチャンネルに関する制御情報と共に上記制御情報のエラー検出に関連した情報を送信する装置及び方法を提供することにある。
【００１３】
本発明の他の目的は、基地局が逆方向トラヒックチャンネルに関する制御情報のエラー検出に基づいて電力制御を遂行する装置及び方法を提供することにある。
【課題を解決するための手段】
【００１４】
このような目的を達成するために、本発明の１つの特徴によれば、トラヒックチャンネルに関する制御情報を制御チャンネルを介して送信する移動通信システムにおいて、上記トラヒックチャンネルに関する制御情報を使用して電力制御を遂行する方法は、時間区間ごとにトラヒックチャンネルに関する制御情報を選択するステップと、あらかじめ決定された少なくとも１つの最近の制御情報にエラーがあるか否かに基いて電力制御を遂行するように、エラー検出情報を生成するステップと、上記生成されたエラー検出情報をあらかじめ決定された時間区間で上記時間区間の制御情報と共に符号化して、上記符号化された情報を上記制御チャンネルを介して送信するステップとを含むことを特徴とする。
【００１５】
本発明の他の特徴によれば、トラヒックチャンネルに関する制御情報を制御チャンネルを介して送信する移動通信システムにおいて、上記トラヒックチャンネルに関する制御情報を使用して電力制御を遂行する方法は、時間区間ごとにトラヒックチャンネルに関する制御情報を選択するステップと、上記制御情報を符号化して制御チャンネルを介して送信するステップと、あらかじめ決定された時間区間で、上記制御情報にエラーがあるか否かに基いて電力制御を遂行するように、あらかじめ決定された少なくとも１つの最近の制御情報に対して発生したエラー検出情報を符号化して、上記符号化されたエラー検出情報を上記制御チャンネルとは異なるエラー検出チャンネルを介して送信するステップとを含むことを特徴とする。
【発明の効果】
【００１６】
本発明は、移動端末機がトラヒックチャンネルに関する制御情報を制御チャンネルを介して基地局へ送信する時に、上記制御情報に対するエラー検出情報を上記制御チャンネル又は別途のエラー検出チャンネルを介して送信することによって、基地局が上記制御情報に対するエラー検出情報に基づいてアウターループ電力制御を遂行することができる。
【発明を実施するための最良の形態】
【００１７】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１８】
下記の説明において、移動端末機が送信するトラヒックチャンネルに関する制御情報を送信するのに使用されるチャンネルは、トラヒックチャンネルの制御チャンネルと称する。上記制御チャンネル信号は、逆方向トラヒックチャンネルのデータ送信速度に関する情報の以外に、ハイブリッド自動再送信要求（Hybrid Automatic Repeat reQuest；以下、‘ＨＡＲＱ’と称する）に関連した情報を含むこともできる。ＨＡＲＱ技術において、送信されたデータフレームに応じて否定応答（Negative Acknowledgement；ＮＡＫ）が受信されると、同一のデータを再送信し、肯定応答（Acknowledgement；ＡＣＫ）が受信されると、次のデータを送信する。
【００１９】
移動通信システムにおいて、基地局がアウターループ電力制御（outer loop power control）を介して移動端末機が送信した制御チャンネルのエラー確率を一定に保持するためには、制御チャンネルの復号された結果にエラーがあるか否かを判断しなければならない。制御チャンネルにエラーがあるか否かを判断するための一番単純な方法は、移動端末機が制御チャンネル信号を送信する時間区間を介して制御情報を送信する度に、上記制御情報に対応する巡回冗長符号（Cyclic Redundancy Code；以下、‘ＣＲＣ’と称する）を送信することである。すると、基地局が上記制御情報を受信する度に、上記ＣＲＣを基に、上記制御情報にエラーがあるか否かを判断することができ、上記判断の結果に基いてアウターループ電力制御を遂行することができる。
【００２０】
しかしながら、一般的に、上記制御情報は、非常に少量の情報であり、上記制御情報に比べて、ＣＲＣは、比較的大きい６ビット、８ビット、又は１６ビットから構成される。上記制御情報及び比較的大きい大きさを有するＣＲＣを共に送信する場合に、実際に制御情報のみを送信する時とほぼ同一の性能を得ることができるとしても、上記ＣＲＣを送信するためには、さらに高い送信電力を必要とする。しかしながら、送信電力を高めるに従って、制御チャンネルによって発生する干渉量は増加する。例えば、８ビットの制御情報を送信するために、６ビットのＣＲＣを付加する場合に、制御チャンネルによって発生する干渉量は、ＣＲＣを付加しない場合に比べて７５％程度増加する。
【００２１】
本発明は、上記制御情報にＣＲＣを付加した後に送信する場合にも、上記制御チャンネルを介した制御情報の送信によって発生する干渉量を比較的増加させないようにする２つの実施形態を提示する。以下、本発明の２つの実施形態を区分して説明する。
【００２２】
［第１の実施形態］
【００２３】
図３は、本発明の第１の実施形態による移動端末機から基地局へ送信される制御情報及びＣＲＣを示す図である。図３に示すように、移動端末機は、制御チャンネルのあらかじめ決定された時間区間では、制御情報にＣＲＣを付加して共に送信し（参照番号“３２０”）、一方、残りの時間区間では、制御情報のみを送信する（参照番号“３１０”）。上記制御情報にＣＲＣを付加するあらかじめ決定された時間区間は、移動端末機と基地局との間で事前に約束される。図３では、制御チャンネル信号と共に送信されるトラヒックチャンネル信号を図示しない。
【００２４】
図３に示すように、移動端末機は、４番目のフレームごとにＣＲＣを付加して共に送信する。すなわち、移動端末機は、ｉ＋１番目のフレーム及びｉ＋５番目のフレームでのみ制御情報にＣＲＣを付加して送信するだけ、残りのフレーム（すなわち、ｉ番目、ｉ＋２番目、ｉ＋３番目、ｉ＋４番目、ｉ＋６番目、ｉ＋７番目、及びｉ＋８番目のフレーム）では、制御情報のみを送信する。
【００２５】
基地局は、基地局と移動端末機との間にあらかじめ約束されたｉ＋１番目のフレーム及びｉ＋５番目のフレームで受信された制御チャンネル信号に対しては、送信器の符号化過程に対応する復号化過程を遂行して、上記制御情報及び上記ＣＲＣを得る。上記制御情報及び上記ＣＲＣを得た後に、基地局は、上記逆符号化された制御情報にエラーがあるか否かを判断するために、ＣＲＣ検査を遂行する。ＣＲＣ検査の結果、エラーが発生したと判断される場合には、アウターループ電力制御を介して電力制御基準点（target setpoint）を上げ、エラーが発生しなかったと判断される場合には、アウターループ電力制御を介して電力制御基準点を下げる。
【００２６】
また、基地局は、ｉ＋１番目のフレーム及びｉ＋５番目のフレームを除いた残りのフレームで受信された制御チャンネル信号に対して、送信器の符号化過程に対応する復号化過程を遂行して、制御情報を得る。上記ｉ＋１番目のフレーム及びｉ＋５番目のフレームを除いた残りのフレームでは、ＣＲＣが付加的に送信されないので、上記残りのフレームに該当する時間区間では、アウターループ電力制御を遂行しない。
【００２７】
図４は、本発明の第１の実施形態による移動端末機から制御チャンネル信号を送信する制御チャンネル送信器の構成を示すブロック図である。
【００２８】
制御情報生成器（図示せず）は、上記制御情報を生成する。ここで、制御チャンネルを介して送信される制御情報は、８ビットからなると仮定する。上記８ビットの制御情報は、１ｘＥＶＤＯシステムでトラヒックチャンネルのデータ送信速度に関連した情報及びＨＡＲＱに関連した各種の情報を含む。上記８ビットの制御情報は、上記制御情報がＣＲＣと共に送信されるか否かに基づいて、装置４１０、４２０、４３０、４４０、及び４５０を使用して送信されるか、又は装置４６０、４７０、及び４８０を使用して送信される。
【００２９】
図４において、上記制御情報にＣＲＣを付加して送信するように決定された時間区間の間に、ＣＲＣ生成器（Generator）４１０は、８ビットの制御情報に所定数のビットのＣＲＣ、例えば、６ビットのＣＲＣを付加し、上記８ビットの制御情報と上記６ビットのＣＲＣとの組合せに該当する１４ビットを出力する。テールビット生成器（Tail Bit Generator）４２０は、ＣＲＣ生成器４１０の１４ビットの出力に畳込み（convolutional）符号化のための８ビットの符号化テールビットを付加する。畳込み符号化器（Convolutional Encoder）４３０は、所定の符号率（code rate）（例えば、Ｒ＝１／４）でテールビット生成器４２０の２２ビットの出力に対する畳込み符号化を遂行する。上記畳込み符号化器４３０の出力は、反復器及びパンクチャラー（Repeater and Puncturer）４４０によって反復されてパンクチャーリングされた後に、ウォルシュ拡散器（Walsh Spreader）４５０によって直交符号で拡散される。
【００３０】
図４において、制御情報のみを送信するように決定された時間区間の間に、ブロック符号化器４６０は、所定の符号率（ｎ，８）で８ビットの制御情報のブロック符号化を遂行する。上記ブロック符号化器４６０の出力は、反復器及びパンクチャラー４７０により反復されてパンクチャーリングされた後に、ウォルシュ拡散器４８０により直交拡散される。
【００３１】
上記各装置は、制御器４９０の制御下に動作し、特に、制御器４９０は、制御情報を送信する度に、ＣＲＣを付加して送信するか否かを決定する。制御器４９０は、ＣＲＣを付加的に送信する時間区間では、装置４１０、４２０、４３０、４４０、４５０をイネーブルし、残りの時間区間では、装置４６０、４７０、４８０をイネーブルする。
【００３２】
ここで、ＣＲＣが付加されるか否かに基づいて、相互に異なる符号化方式が要求されることに留意しなければならない。すなわち、制御情報にＣＲＣを付加して送信する場合に、送信される総ビットは、８ビットの制御情報及び６ビットのＣＲＣを含む１４ビットである。従って、この場合に、符号率１／４を有する畳込み符号化器４３０が使用される。一方、８ビットの制御情報のみを送信する場合には、符号率（ｎ，８）を有する畳込み符号化器４６０が使用される。
【００３３】
図５は、図３の制御チャンネル送信器に対応する制御チャンネル受信器の構成を示すブロック図である。図５に示すように、上記制御情報は、移動端末機が制御情報にＣＲＣを付加して送信する時間区間では、装置５２０、５３０、５４０（すなわち、結合器５２０、ビタビ復号５３０、ＣＲＣ検査器５４０）を用いて受信される。そして、上記制御情報は、ＣＲＣが付加されず、制御情報のみが送信される残りの時間区間では、装置５５０及び５６０（すなわち、結合器５５０及びブロック復号化器５６０）を用いて受信される。
【００３４】
図５を参照すると、移動端末機が上記制御情報にＣＲＣを付加して制御チャンネルを介して送信する場合に、ウォルシュ逆拡散器（Walsh Despreader）５１０は、移動端末機から受信された制御チャンネル信号の直交逆拡散を遂行し、結合器（Combiner）５２０は、ウォルシュ逆拡散器５１０の出力を所定の時間の間に結合する。結合器５２０の結合動作は、図４の反復器及びパンクチャラー４４０に対応する動作である。従って、結合器５２０は、反復器及びパンクチャラー４４０によって反復されたシンボルを再結合する。ビタビ復号化器（Viterbi Decoder）５３０は、結合器５２０の出力を図４の畳込み符号器４３０の符号率（Ｒ＝１／４）に対応するように復号して制御情報及びＣＲＣを出力する。すると、ＣＲＣ検査器５４０は、上記出力されたＣＲＣを検査して上記制御情報にエラーがあるか否かを判断する。基準点制御器（Target Setpoint Controller）５８０は、ＣＲＣ検査器５４０の判断の結果に従って、電力制御基準点を調節する。すなわち、基準点制御器５８０は、上記制御情報にエラーが発生した場合には、アウターループ電力制御のための基準点を増加させ、一方、上記制御情報にエラーが発生しなかった場合には、基準点を減少させる。
【００３５】
図５において、移動端末機が制御情報のみを制御チャンネルを介して送信した場合に、結合器５５０は、ウォルシュ逆拡散器５１０の出力を所定の時間の間に結合する。結合器５５０の結合動作は、図４の反復器／パンクチャラー４７０の反復及びパンクチャーリング動作に対応する。ブロック復号化器（Block Decoder）５６０は、図４のブロック符号器４６０の符号率（ｎ，８）に対応するように結合器５５０の出力を復号して制御情報を出力する。
【００３６】
制御器５７０は、上記装置の動作を制御し、特に、制御器５７０は、制御情報を受信する度に、上記制御情報にＣＲＣが付加されているか否かを判断する。ここで、上記制御情報にＣＲＣを付加して送信する時間区間が移動端末機と基地局との間であらかじめ約束されていなければならない。従って、制御器５７０は、周期的に受信されたＣＲＣに基づいて、上記制御情報にエラーが発生したか否かを判断することができ、その後に、上記判断の結果に従ってアウターループ電力制御を適切に遂行する。
【００３７】
制御器５７０は、上記制御情報に付加されたＣＲＣがあるか否かの判断の結果に基づいて、ＣＲＣが受信される時間区間では、装置５１０、５２０、５３０、５４０、５８０をイネーブルさせ、残りの時間区間では、装置５１０、５５０、５６０をイネーブルさせる。図５の受信器によって得られた制御情報は、基地局が逆方向トラヒックチャンネル信号を受信する時に、該当ＨＡＲＱ及びデータ送信速度に関連した情報を取得するのに使用される。
【００３８】
図６は、本発明の第１の実施形態による移動端末機から制御情報及びＣＲＣを送信する方式を示すフローチャートである。
【００３９】
図６に示すように、移動端末機は、ステップ６１０で、制御チャンネルに載せる制御情報を決定し、ステップ６２０で、現在の時間区間がエラー検出情報を送信する時間区間であるか否かを判断する。ステップ６２０の判断の結果、現在の時間区間がエラー検出情報を送信する時間区間ではない場合に、移動端末機は、装置４６０、４７０、４８０をイネーブルさせて、ステップ６３０で制御情報のブロック符号化を遂行して、ステップ６４０で、上記符号化された制御情報を送信する。一方、ステップ６２０の判断の結果、現在の時間区間がエラー検出情報を送信する時間区間である場合に、移動端末機は、ステップ６５０で、あらかじめ決定されて最近に受信された少なくとも１つの制御情報に対してＣＲＣを生成する。すると、移動端末機は、図４に示した装置４１０、４２０、４３０、４４０、４５０をイネーブルさせて、ステップ６６０で、現在の時間区間の制御情報及び上記生成されたＣＲＣの畳込み符号化を遂行した後に、ステップ６７０で、上記畳込み符号化された制御情報及びＣＲＣを制御チャンネルを介して送信する。
【００４０】
図７は、本発明の第１の実施形態による基地局が制御情報及びＣＲＣを受信する方式を示すフローチャートである。
【００４１】
図７に示すように、基地局は、ステップ７１０で、制御チャンネル信号を受信する。すると、ステップ７２０で、基地局は、現在の時間区間がエラー検出情報を受信する時間区間であるか否かを判断する。このような判断をするために、基地局は、図６のステップ６２０で、移動端末機がエラー検出情報をどんな時間区間の間に送信すべきであるかを決定する規則を共有しなければならない。すなわち、上記エラー検出情報がどんな時間区間の間に送信されるべきであるかは、基地局と移動端末機との間で共通的に約束された規則に基づいて判断されなければならない。
【００４２】
ステップ７２０の判断の結果、現在の時間区間がエラー検出情報が受信されない時間区間である場合に、基地局は、ステップ７３０で、図５の装置５５０及び５６０のみをイネーブルさせ、上記制御チャンネルを介して受信された信号を復号して制御情報を得る。すると、ステップ７４０で、基地局は、アウターループ電力制御のための基準点を以前の時間区間と同一に保持する。
【００４３】
一方、ステップ７２０の判断の結果、現在の時間区間がエラー検出情報が受信される時間区間である場合に、基地局は、ステップ７５０で、図５の装置５２０、５３０、５４０をイネーブルさせ、上記制御チャンネルを介して受信された信号を復号して、現在の時間区間の制御情報及び最近の少なくとも１つの制御情報に対するＣＲＣを得る。すると、基地局は、ステップ７６０で、上記得られたＣＲＣを検査して、ステップ７７０で、上記最近の少なくとも１つの制御情報にエラーがあるか否かを判断する。
【００４４】
ステップ７７０のＣＲＣ検査の結果、上記最近の少なくとも１つの制御情報にエラーがない場合に、すなわち、上記ＣＲＣ検査の結果が“ＣＲＣ ＯＫ”である場合に、ステップ７８０で、基地局は、以前の時間区間に比べて、アウターループ電力制御のための基準点を所定の単位だけ減少させる。一方、ステップ７７０のＣＲＣ検査の結果、上記最近の少なくとも１つの制御情報にエラーがある場合に、すなわち、上記ＣＲＣ検査の結果が“ＣＲＣ ＦＡＩＬ”である場合に、ステップ７９０で、基地局は、以前の時間区間に比べて、アウターループ電力制御のための基準点を所定の単位だけ増加させる。
【００４５】
以上では、８ビットの制御情報に６ビットのＣＲＣを付加して送信する場合について説明したが、制御情報がＣＲＣよりもさらに少ないビット数を有する場合には、正常のＣＲＣを生成することができない。このような場合に、ＣＲＣ生成器４１０は、あらかじめ決定されて最近に受信された少なくとも２つ以上の制御情報を累積して受信し、上記累積された少なくとも２つ以上の制御情報に対するＣＲＣを生成した後に、上記生成されたＣＲＣを現在の制御情報と共に出力する。この場合に、ＣＲＣ生成器４１０によって付加されたＣＲＣは、現在の制御情報に対するエラー検出情報ではなく、以前に送信された少なくとも１つの付加的な制御情報に対するエラー検出情報である。
【００４６】
［第２の実施形態］
【００４７】
本発明は、第１の実施形態の変形された形態であって、１つ又は複数のフレームに対してＣＲＣを生成した後に、複数のフレームにこれを分けて送信する。すなわち、第２の実施形態において、移動端末機は、１つ又は複数のフレームに送信された制御情報に対してＣＲＣを生成した後に、これを複数のフレームに分けて共に送信する。
【００４８】
図８は、本発明の第２の実施形態による移動端末機からの制御情報及びＣＲＣの送信を示す。
【００４９】
図８を参照すると、上述したように、制御情報に対して生成されたＣＲＣは、複数のフレームの各制御チャンネルを介して分けられて送信される。すなわち、上記生成されたＣＲＣは、分けられて複数のフレームに送信される。
【００５０】
図８において、１つのフレーム又は複数のフレームに対して生成された８ビットのＣＲＣは、４つの２ビットのＣＲＣ部分に同等に分けられ、移動端末機が各ＣＲＣ部分を４つのフレーム（すなわち、ｉ番目、ｉ＋１番目、ｉ＋２番目、ｉ＋３番目のフレーム）に送信する。１つのフレームに送信された制御情報に対してＣＲＣを生成する場合に、ｉ番目のフレームに送信された制御情報に対して生成された８ビットのＣＲＣがｉ番目、ｉ＋１番目、ｉ＋２番目、ｉ＋３番目のフレームにそれぞれ２ビットずつ送信される。また、複数のフレームに送信された制御情報に対してＣＲＣを生成する場合に、ｉ−３番目、ｉ−２番目、ｉ−１番目、ｉ番目のフレームに送信された制御情報に対して生成された８ビットのＣＲＣがｉ番目、ｉ＋１番目、ｉ＋２番目、ｉ＋３番目のフレームにそれぞれ２ビットずつ送信される。
【００５１】
図９は、本発明の第２の実施形態による移動端末機から制御チャンネル信号を送信する制御チャンネル送信器の構成を示すブロック図である。
【００５２】
図９は、制御チャンネルを介して送信される制御情報が８ビットからなり、４フレームごとに総８ビットのＣＲＣが送信される場合の制御チャンネル送信器の構成を示す。この場合に、フレームごとに生成される８ビットの制御情報は、生成された後に、制御情報貯蔵装置９１０に貯蔵される。上記制御情報を制御情報貯蔵装置９１０に貯蔵する理由は、複数のフレームに送信された制御情報を用いてＣＲＣを生成する時に使用するためである。１つの制御情報のエラー検出のためにＣＲＣが生成されると、制御情報貯蔵装置９１０は、１つの制御情報のみを貯蔵する。一方、複数の制御情報のエラー検出のためにＣＲＣが生成されると、制御情報貯蔵装置９１０は、複数の制御情報を貯蔵する。
【００５３】
そして、ＣＲＣ生成器９５０は、４つのフレームごとに、一番最近の４フレームで生成された制御情報を使用して８ビットのＣＲＣを生成する。上記生成された８ビットのＣＲＣは、ＣＲＣ貯蔵装置９６０に入力されて、次のＣＲＣが生成されるときまで貯蔵される。８ビットのＣＲＣが４つの２ビットのＣＲＣ部分に分けられ、８ビットのＣＲＣのうちの２ビットは、符号化器９２０に入力される。
【００５４】
さらに詳細に説明すると、図９に示すように、符号化器９２０は、フレームごとに送信される８ビットの制御情報及び２つのＣＲＣビットを受信し、上記受信された制御情報及び２つのＣＲＣビットを符号化する。すなわち、時間区間ごとに、該当フレームで生成された８ビットの制御情報とともに以前のフレームで生成された８ビットのＣＲＣのうちの２ビットは、符号化器９２０に入力される。例えば、ｉ−３番目、ｉ−２番目、ｉ−１番目、ｉ番目のフレームの制御情報を用いてＣＲＣを生成した後に、ｉ番目、ｉ＋１番目、ｉ＋２番目、ｉ＋３番目のフレームでＣＲＣを分けて送信する場合に、ｉ番目のフレームには、８ビットの制御情報及び８ビットのＣＲＣのうちの一番目及び二番目のビットが符号化されて送信され、ｉ＋１番目のフレームには、８ビットの制御情報及び８ビットのＣＲＣのうちの三番目及び四番目のビットが符号化されて送信され、そして、ｉ＋２番目のフレームには、８ビットの制御情報及び８ビットのＣＲＣのうちの五番目及び六番目のビットが符号化されて送信され、また、ｉ＋３番目のフレームには、８ビットの制御情報及び８ビットのＣＲＣのうちの七番目及び八番目のビットが符号化されて送信される。
【００５５】
符号化器９２０からの出力信号は、反復器及びパンクチャラー（repeater and puncturer）９３０によって反復されてパンクチャーリングされた後に、ウォルシュ拡散器（Walsh Spreader）９４０で直交拡散されて送信される。
【００５６】
図１０は、本発明の第２の実施形態による基地局で制御チャンネル信号を受信する制御チャンネル受信器の構成を示すブロック図である。
【００５７】
図１０は、制御チャンネルを介して送信される制御情報が８ビットからなり、各フレームに送信されている２つのＣＲＣビットを有する４つのフレームごとに８ビットのＣＲＣを送信する場合の構成を示す。
【００５８】
まず、ウォルシュ逆拡散器１０１０は、制御チャンネルを介して受信された信号の直交逆拡散を遂行した後に、結合器１０２０は、ウォルシュ逆拡散器１０１０からの出力信号を結合する。結合器１０２０の結合動作は、図９の反復器及びパンクチャラー９３０で遂行された反復及びパンクチャーリング動作に対応する。従って、結合器１０２０は、反復器及びパンクチャラー９３０によって反復されたビットを再結合する。ブロック復号化器１０３０は、結合器１０２０からの出力信号を復号する。
【００５９】
上記復号動作の結果として、ブロック復号化器１０３０は、８ビットの制御情報及び２ビットから構成されたＣＲＣのうちの一部である。制御情報貯蔵装置１０８０及びＣＲＣ貯蔵装置１０４０のそれぞれは、上記８ビットの制御情報及び２ビットから構成されたＣＲＣのうちの一部を受信して貯蔵する。ＣＲＣ貯蔵装置１０４０及び制御情報貯蔵装置１０８０が必要な理由は、すべての８ビットのＣＲＣが受信されて貯蔵されるときまで、上記受信されたＣＲＣビット（フレームごとに受信された２ビット）を貯蔵して、ＣＲＣ検査を遂行するためである。例えば、ｉ番目、ｉ＋１番目、ｉ＋２番目、ｉ＋３番目のフレームの各制御チャンネルを介して８ビットのＣＲＣが２ビットずつ分けられて送信された場合に、基地局受信器は、ＣＲＣ検査を遂行するために、ｉ番目、ｉ＋１番目、ｉ＋２番目、ｉ＋３番目のフレームで２ビットずつ受信された８ビットのＣＲＣを貯蔵しなければならない。また、ＣＲＣ検査を遂行するためには、上記８ビットのＣＲＣを生成するのに使用された制御情報を別途に貯蔵しなければならない。例えば、ｉ番目、ｉ＋１番目、ｉ＋２番目、ｉ＋３番目のフレームの各制御チャンネルを介して８ビットのＣＲＣが２ビットずつ分けられて送信され、上記８ビットのＣＲＣがｉ番目のフレームに送信された制御情報に対して生成されると、基地局受信器は、ｉ＋３番目のフレームを受信した後に、ＣＲＣ検査を遂行するために、８ビットのＣＲＣが受信されるときまでｉ番目のフレームに送信された制御情報を貯蔵しなければならない。一方、ｉ番目、ｉ＋１番目、ｉ＋２番目、ｉ＋３番目のフレームの各制御チャンネルを介して８ビットのＣＲＣが２ビットずつ分けられて送信され、上記８ビットのＣＲＣがｉ−３番目、ｉ−２番目、ｉ−１番目、ｉ番目のフレームに送信された制御情報に対して生成されると、基地局受信器は、ｉ＋３番目のフレームを受信した後に、ＣＲＣ検査を遂行するために、ＣＲＣビットのすべてが受信されるときまでｉ−３番目、ｉ−２番目、ｉ−１番目、ｉ番目のフレームに送信された制御情報を貯蔵しなければならない。
【００６０】
図１０の基地局受信器は、８ビットのＣＲＣを受信すると、これに対するＣＲＣ検査をＣＲＣ検査器１０５０で遂行する。ＣＲＣ検査器１０５０で遂行されたＣＲＣ検査の結果は、基準点制御器１０６０に入力されて、アウターループ電力制御のための基準点を調節するのに使用される。
【００６１】
図１０の制御器（controller）１０７０は、装置１０４０、１０５０、１０８０で遂行するＣＲＣ貯蔵、ＣＲＣ検査、及び制御情報貯蔵動作を遂行する。
【００６２】
上述したように、複数のフレームに送信された制御情報に対して生成されたＣＲＣに基づいてアウターループ電力制御を遂行する場合にも、１つのフレームに送信された制御情報に対して生成されたＣＲＣに基づいてアウターループ電力制御を遂行する場合と同様に、アウターループ電力制御を用いて一定の受信エラー確率を得ることができる。ここで、第１の実施形態と第２の実施形態とが異なる点は、ＣＲＣを１つのフレームに送信された制御情報に対して生成する場合に、ＣＲＣ検査を遂行して得られたＣＲＣ検査の結果である“ＣＲＣ ｐａｓｓ”又は“ＣＲＣ ｆａｉｌ”は、１つのフレームにエラーがあるか否かを示す。しかしながら、ＣＲＣを、複数のフレームに送信された制御情報に対して生成する場合に、ＣＲＣ検査の結果は、複数のフレームのうちの少なくとも１つのフレームにエラーが発生したか否かを示す。この場合に、同一の受信エラー確率を得るために、アウターループ電力制御の目標エラー確率は、ＣＲＣが生成された制御情報を送信するのに使用されるフレームの数に基づいて調節されなければならない。
【００６３】
ＣＲＣが生成された制御情報を送信するのに使用されるフレームの数に基づいて、アウターループ電力制御の目標エラー確率を調節するための方法の例には、次のようなものがある。Ｎ個のフレームに送信された制御情報を用いてＣＲＣを生成し、要望されている受信エラー確率がＴＦＥＲである場合に、アウターループ電力制御の目標エラー確率（Ｏｕｔｅｒ＿ＰＣ＿Ｅｒｒｏｒ＿Ｒａｔｅ）は、次の式（１）の通りである。
【００６４】
【数１】
2006520121.tif 000004
【００６５】
式（１）に示すように、アウターループ電力制御の目標エラー確率を設定した後に、ＣＲＣ検査を遂行する。ＣＲＣ検査の結果、エラーが発生した場合には、ｘｄＢだけアウターループ電力制御のための基準点を上げ、エラーが発生しなかった場合には、ｘ÷（１÷Ｏｕｔｅｒ＿ＰＣ＿Ｅｒｒｏｒ＿Ｒａｔｅ＿Ｒａｔｅ−１）ｄＢだけ下げることによって、受信エラー確率をＴＦＥＲに収束させることができる。
【００６６】
図１１は、本発明の第２の実施形態による移動端末機から制御情報及びＣＲＣを送信する方式を示すフローチャートである。
【００６７】
図１１に示すように、ステップ１１１０で、移動端末機は、制御チャンネルに載せる制御情報を決定する。その後に、ステップ１１２０で、移動端末機は、上記決定された制御情報を貯蔵する。ステップ１１２０で上記制御情報を貯蔵する目的は、複数のフレームに送信された制御情報を使用してＣＲＣを生成するためである。複数のフレームに送信された制御情報に対するＣＲＣを生成するためには、実際に送信されたＣＲＣを生成させる時点まで、上記制御情報を貯蔵しなければならない。
【００６８】
ステップ１１２０で、上記制御情報が貯蔵された後に、移動端末機は、ステップ１１３０で、現在のフレームがＣＲＣを生成する時点に該当するか否かを決定する。ステップ１１３０で、現在のフレームがＣＲＣを生成する時点に該当すると判断される場合に、移動端末機は、ステップ１１６０でＣＲＣを生成する。上記生成されたＣＲＣは、ステップ１１７０で貯蔵される。すると、ステップ１１８０では、上記生成されたＣＲＣがあらかじめ決定された数に分けられ、上記分けられたＣＲＣの一部は、該当フレームの制御情報と共に符号化される。上記符号化されたＣＲＣ及び制御情報は、ステップ１１９０で制御チャンネルを介して送信される。
【００６９】
ステップ１１３０で、現在のフレームがＣＲＣを生成する時点に該当しないと判断される場合に、移動端末機は、以前のフレームで生成された後に貯蔵されていたＣＲＣの一部をステップ１１４０と同一の方式にて、制御情報と共に符号化する。上記符号化されたＣＲＣ及び制御情報は、ステップ１１５０で、制御チャンネを介して送信される。
【００７０】
ステップ１１４０又はステップ１１８０で、制御情報と共に符号化されたＣＲＣの一部は、上記生成されたＣＲＣの一部に該当する。例えば、８ビットのＣＲＣを生成した後に、これを４個のフレームに分けて送信する場合に、８ビットのＣＲＣのうちの２ビットは、制御情報と共に符号化されて送信される。
【００７１】
図１２は、本発明の第２の実施形態による基地局が制御情報及びＣＲＣを受信する方式を示すフローチャートである。
【００７２】
図１２に示すように、ステップ１２１０で、基地局は、移動端末機が送信した制御チャンネル信号を受信する。ステップ１２２０で、基地局は、上記受信された制御チャンネル信号に対して復号化を遂行して、制御チャンネル信号に載せた制御情報及びＣＲＣの一部を得る。すると、ステップ１２３０で、基地局（又は基地局受信器）は、複数のフレームに分けられて送信されたＣＲＣが受信されたか否かを判断する。例えば、図８に示すように、上記ＣＲＣが４部分に分けられて４つのフレーム（すなわち、ｉ番目、ｉ＋１番目、ｉ＋２番目、ｉ＋３番目のフレーム）を介して送信される場合に、基地局受信器は、上記ｉ＋３番目のフレームを受信したか否かを判断する。
【００７３】
ステップ１２３０で、複数のフレームに分けられて送信されたＣＲＣが受信されなかったと判断される場合に、基地局は、ステップ１２８０で、現在のフレームで受信された制御情報及びＣＲＣの一部を貯蔵装置に貯蔵する。複数のフレームに分けられて送信されたＣＲＣの一部がすべて受信された後には、上記受信されたそれぞれのＣＲＣの一部を用いて、分割される前のＣＲＣを復旧する。すると、上記復旧されたＣＲＣを用いてエラーが発生したか否かを判断するＣＲＣ検査を遂行する。
【００７４】
ステップ１２３０で、複数のフレームに分けられて送信されたＣＲＣが受信されたと判断される場合に、基地局は、ステップ１２４０で、現在のフレームで受信された制御情報及びＣＲＣの一部、そして、以前のフレームで受信されて貯蔵された制御情報及びＣＲＣの一部に基づいて、エラーがあるか否かを判断するＣＲＣ検査を遂行する。
【００７５】
ステップ１２５０で、ＣＲＣ検査の結果がエラーが検出されないことを示す“ＣＲＣ ｐａｓｓ”である場合に、基地局受信器は、ステップ１２７０で、アウターループ電力制御のための基準点を下げる。一方、ステップ１２５０で、ＣＲＣ検査の結果がエラーが検出されたことを示す“ＣＲＣ ｆａｉｌ”である場合に、基地局受信器は、ステップ１２６０で、アウターループ電力制御のための基準点を上げる。
【００７６】
［第３の実施形態］
【００７７】
図１３は、本発明の第３の実施形態による移動端末機からの制御情報及びＣＲＣの送信を示す図である。
【００７８】
図１３に示すように、移動端末機は、制御チャンネルを介してフレームごとに制御情報を送信する一方、付加的なエラー検出チャンネルを介してあらかじめ決定されたフレームの周期ごとに、制御情報に対するＣＲＣを送信する。図１３を参照すると、制御情報は、フレームごとに制御チャンネルを介して送信される一方、ＣＲＣは、４つのフレームごとにエラー検出チャンネルを介して送信される。ここで、上記制御チャンネルは、８ビットの制御情報のみを送信し、ＣＲＣを送信しない。従って、制御チャンネルのすべてのフレームで送信されるデータ量は一定であるので、すべてのフレームに同一の符号化方式が適用される。上記エラー検出チャンネルは、制御チャンネルとは別途のチャンネルとして、同一の時間区間の間に送信された制御情報に対するＣＲＣを移動端末機から基地局へ送信するのに使用される。
【００７９】
図３の実施形態において、移動端末機は、ＣＲＣが送信される時間区間で、制御情報及びＣＲＣを共に符号化して送信する。図１３の実施形態において、移動端末機は、ＣＲＣが送信される時間区間で、制御チャンネル及びＣＲＣを別途に符号化して送信する。すなわち、図１３に示すように、上記ｉ＋１番目のフレーム及びｉ＋５番目のフレームで、制御情報及びＣＲＣがそれぞれ制御チャンネル及びエラー検出チャンネルを介して送信される。一方、残りの時間区間では、制御情報のみが制御チャンネルを介して送信され、エラー検出チャンネルが使用されない。
【００８０】
本実施形態は、ｉ＋１番目のフレーム及びｉ＋５番目のフレームのそれぞれが同一の時間区間で送信される制御情報に対するＣＲＣを送信するのに使用される場合を参照して説明された。しかしながら、第４の実施形態によれば、ｉ＋１番目のフレーム及びｉ＋５番目のフレームのそれぞれが複数のフレームに送信された複数の制御情報に対するＣＲＣを送信するのに使用されてもよい。例えば、ｉ−２番目、ｉ−１番目、ｉ番目、ｉ＋１番目のフレームの間に送信された制御情報に対するＣＲＣは、エラー検出チャンネルを介してｉ＋１番目のフレームに送信され、ｉ＋２番目、ｉ＋３番目、ｉ＋４番目、ｉ＋５番目のフレームの間に送信された制御情報に対するＣＲＣは、エラー検出チャンネルを介してｉ＋５番目のフレームに送信される。
【００８１】
図１４は、本発明の第３の実施形態による移動端末機から制御チャンネル信号及びエラー検出チャンネル信号を送信する制御チャンネル及びエラー検出チャンネル送信器の構成を示すブロック図である。
【００８２】
ここで、制御チャンネルを介して送信される制御情報が８ビットから構成されると仮定する。例えば、上記８ビットの制御情報には、１ｘＥＶＤＯシステムにおいて、トラヒックチャンネルのデータ送信速度に関連した情報及びＨＡＲＱに関連した各種の情報が含まれる。上記８ビットの制御情報を送信するための装置１４１０、１４２０、１４３０（すなわち、ブロック符号化器１４１０、 反復器／パンクチャラー１４２０、ウォルシュ拡散器１４３０）が使用される。また、あらかじめ決定された最近の少なくとも１つの制御情報に対して生成された６ビットのＣＲＣは、エラー検出チャンネルを介して送信される。上記６ビットのＣＲＣを送信するために、装置１４４０、１４５０、１４６０、１４７０（すなわち、ＣＲＣ生成器１４４０、ブロック符号化器１４５０、反復器／パンクチャラー１４６０、ウォルシュ拡散器１４７０）が使用される。
【００８３】
すべての時間区間で、ブロック符号化器１４１０は、所定の符号率（ｎ１，８）で８ビットの制御情報のブロック符号化を遂行する。ブロック符号化器１４１０の出力は、反復器／パンクチャラー１４２０により反復されてパンクチャーリングされた後に、最終の信号が制御チャンネルを介して送信されることができるように、ウォルシュ拡散器１４３０により直交拡散（例えば、直交符号で）される。
【００８４】
また、ＣＲＣを送信するために決定された時間区間の間には、ＣＲＣ生成器１４４０は、現在の制御情報だけではなく、あらかじめ決定された最近の少なくとも１つの制御情報を受信した後に、これに対する６ビットのＣＲＣを生成して出力するように付加的に動作する。ブロック符号化器１４５０は、ＣＲＣ生成器１４４０の出力を所定の符号率（ｎ２，６）で符号化する。ブロック符号化器１４５０の出力は、反復器／パンクチャラー１４６０により反復されてパンクチャーリングされた後に、ウォルシュ拡散器１４７０によりエラー検出チャンネルを介して送信されることができるように直交拡散される。
【００８５】
従って、上記ＣＲＣを送信するために決定された時間区間の間に、受信器は、ＣＲＣだけではなく、ブロック符号化器１４１０、反復器／パンクチャラー１４２０、及びウォルシュ拡散器１４３０を介した制御情報も出力する。
【００８６】
上記各装置は、制御器１４８０の制御下に動作し、特に、制御器１４８０は、フレームごとにＣＲＣを送信するか否かを決定する。ＣＲＣを送信するように決定されると、制御器１４８０は、装置１４４０、１４５０、１４６０、１４７０をイネーブルさせる。ここで、制御器１４８０は、あらかじめ約束された規則に基づいて送信するか否かを判断する。
【００８７】
図１５は、図１４の制御チャンネル及びエラー検出チャンネル送信器に対応する制御チャンネル及びエラー検出チャンネル信号を受信する受信器の構成をを示すブロック図である。図１５において、上記制御チャンネルを介して制御情報を受信するためには、装置１５１０、１５２０、１５３０（すなわち、ウォルシュ逆拡散器１５１０、結合器１５２０、ブロック復号化器１５３０ ）が使用され、エラー検出チャンネルを介してＣＲＣを受信するためには、装置１５４０、１５５０、１５６０、１５７０が使用される。
【００８８】
図１５において、すべての時間区間で、ウォルシュ逆拡散器１５１０は、受信された制御チャンネル信号の直交逆拡散を遂行し、結合器１５２０は、ウォルシュ逆拡散器１５１０の出力をあらかじめ決定された時間で結合する。結合器１５２０による結合動作は、図１４の反復器及びパンクチャラー１４２０の反復及びパンクチャーリング動作に対応する。従って、結合器１５２０は、反復器及びパンクチャラー１４２０によって反復されたシンボルを再結合する。ブロック復号化器１５３０は、結合器１５２０から出力された結合された信号を図１４のブロック符号化器１４１０の符号率（ｎ１，６）に対応する方式にて復号した後に、上記制御情報を出力する。
【００８９】
また、ＣＲＣを送信するために決定された時間区間で、ウォルシュ逆拡散器１５４０は、受信されたエラー検出チャンネル信号の直交逆拡散を遂行し、結合器１５５０は、ウォルシュ逆拡散器１５４０の出力をあらかじめ決定された時間の間に結合する。結合器１５５０による結合動作は、図１４の反復器及びパンクチャラー１４６０の反復及びパンクチャーリング動作に対応する。従って、結合器１５５０は、反復器及びパンクチャラー１４６０によって反復されたシンボルを再結合する。ブロック復号化器１５６０は、結合器１５５０から出力された結合された信号を図１４のブロック符号化器１４５０の符号率（ｎ２，６）に対応する方式にて復号した後に、上記ＣＲＣを出力する。ＣＲＣ検査器１５７０は、あらかじめ決定された最近の少なくとも１つのフレームの間に、ＣＲＣを検査して、ブロック復号化器１５３０から出力された少なくとも１つの制御情報にエラーがあるか否かを判断する。基準点制御器１５９０は、ＣＲＣ検査器１５７０の判断の結果に従って、電力制御基準点を調節する。すなわち、上記少なくとも１つの制御情報にエラーが発生した場合に、制御器１５９０は、アウターループ電力制御のための基準点を増加させ、一方、エラーが発生しなかった場合に、基準点を減少させる。
【００９０】
上記各装置は、制御器１５８０の制御下に動作し、特に、制御器１５８０は、フレームごとに、現在の時間区間がＣＲＣが受信される時間区間であるか否かを判断する。判断の結果、現在の時間区間がＣＲＣが受信される時間区間である場合に、制御器１５８０は、エラー検出チャンネル信号を受信するための装置１５４０、１５５０、１５６０、１５７０、１５９０をイネーブルさせる。図１５の受信器によって取得された制御情報は、基地局で逆方向トラヒックチャンネル信号を受信する時にデータ送信速度及びＨＡＲＱに関連した情報を取得するのに用いられる。
【００９１】
第１の実施形態及び第２の実施形態の場合に、ＣＲＣが送信される時間区間の間に使用される符号化方式は、ＣＲＣが送信されない時間区間の間に使用される符号化方式とは異なる。従って、ＣＲＣ検査を遂行してエラーがあるか否かを判断し、上記判断の結果に基づいて、アウターループ電力制御を遂行する場合に、ＣＲＣが送信される時間区間でエラー確率を要望されているレベルに保持することができ、一方、ＣＲＣが送信されない時間区間でのエラー確率は、要望されているレベルに保持することができない。
【００９２】
一方、第３の実施形態の場合、ＣＲＣを別途に符号化し、制御情報をＣＲＣが送信されるか否かに関係なしに、同一の符号化方式を用いて送信する。この場合に、付加的なチャンネル（すなわち、エラー検出チャンネル）を動作させなければならない負担がある。しかしながら、ＣＲＣが受信された時間区間でＣＲＣ検査を遂行してエラーがあるか否かを判断した後に、上記判断の結果に従ってアウターループ電力制御を遂行し、これによって、制御チャンネルのエラー確率をすべての時間区間で要望されているレベルに一定に保持することができる。これは、連続して送信される制御情報は、同一の符号化方式を使用し、非連続的に送信されるＣＲＣは、異なる符号化方式を使用するので、周期的なＣＲＣ検査を介した性能平価がすべての時間区間に適用可能であるからである。すなわち、ＣＲＣが送信された時間区間の制御チャンネルエラー確率が１％に保持されると、残りの時間区間でもエラー確率が１％に保持される。
【００９３】
図１６は、本発明の第３の実施形態による移動端末機から制御情報及びＣＲＣを送信する方式を示すフローチャートである。
【００９４】
図１６に示すように、移動端末機は、ステップ１６１０で、制御チャンネルに載せる制御情報を決定する。すると、ステップ１６２０で、移動端末機は、現在の時間区間がエラー検出チャンネルを使用する時間区間であるか否かを判断する。エラー検出チャンネルを使用する時間区間ではない場合に、移動端末機は、ステップ１６３０で、制御情報を符号化して、ステップ１６４０で、上記符号化された制御情報を送信する。一方、ステップ１６２０の判断の結果、現在の時間区間がエラー検出チャンネルを使用する時間区間である場合に、移動端末機は、ステップ１６５０で、あらかじめ決定された最近の少なくとも１つの制御情報に対してＣＲＣを生成する。その後に、移動端末機は、図１４に示した装置１４１０、１４２０、１４３０だけではなく、装置１４４０、１４５０、１４６０、１４７０もイネーブルさせ、ステップ１６６０で、上記生成されたＣＲＣ及び現在の時間区間の制御情報をそれぞれ符号化した後に、ステップ１６７０で、上記エラー検出チャンネルを介した上記符号化されたＣＲＣ及び上記制御チャンネルを介した上記符号化された制御情報を送信する。
【００９５】
図１７は、本発明の第３の実施形態による基地局が制御情報及びＣＲＣを受信する方式を示すフローチャートである。
【００９６】
図１７に示すように、基地局は、ステップ１７１０で、現在の時間区間がエラー検出チャンネルを使用する時間区間であるか否かを判断する。基地局がこのような判断をするためには、図１６のステップ１６２０で、移動端末機がエラー検出チャンネルをどんな時間区間で使用するかを決定する規則を基地局も共有しなければならない。すなわち、エラー検出チャンネルがどんな時間区間で使用されるべきであるかは、基地局と移動端末機との間で共通的に約束された規則に基づいて判断しなければならない。
【００９７】
ステップ１７１０で、現在の時間区間がエラー検出チャンネルが使用されない時間区間であると判断されると、基地局は、ステップ１７２０で、図１５の装置１５１０、１５２０、１５３０のみをイネーブルさせて制御チャンネル信号のみを受信した後に、ステップ１７３０で、上記受信された制御チャンネル信号を復号して制御情報を取得する。すると、ステップ１７４０で、アウターループ電力制御のための基準点が以前の時間区間と同一に保持される。
【００９８】
一方、ステップ１７１０で、現在の時間区間がエラー検出チャンネルが使用される時間区間であると判断される場合に、基地局は、ステップ１７５０で、図１５の装置１５１０、１５２０、１５３０だけではなく、装置１５４０、１５５０、１５６０、１５７０をイネーブルさせて制御チャンネル信号及びエラー検出チャンネル信号を受信し、ステップ１７６０で、上記受信された制御チャンネル信号及びエラー検出チャンネル信号をそれぞれ復号して、現在の時間区間の制御情報及び最近の少なくとも１つの制御情報に対するＣＲＣを取得する。すると、基地局は、ステップ１７７０で、上記獲得されたＣＲＣを検査して、ステップ１７８０で、上記最近の少なくとも１つの制御情報にエラーがあるか否かを判断する。
【００９９】
ＣＲＣ検査の結果に基づいて、ステップ１７８０で、上記最近の少なくとも１つの制御情報にエラーがない場合に、すなわち、ＣＲＣ検査の結果が“ＣＲＣ ＯＫ”である場合に、ステップ１７９０で、基地局は、アウターループ電力制御のための基準点を以前の時間区間に比べて所定の単位だけ減少させる。一方、ステップ１７８０で、上記最近の少なくとも１つの制御情報にエラーがある場合に、すなわち、ＣＲＣ検査の結果が“ＣＲＣ ＦＡＩＬ”である場合に、ステップ１８００で、基地局は、アウターループ電力制御のための基準点を以前の時間区間に比べて所定の単位だけ増加させる。
【０１００】
上述した第３の実施形態において、１つのＣＲＣが１つのフレームにのみ該当する時間区間を占有しつつ送信される。一方、第３の実施形態の変形である第４の実施形態では、１つのＣＲＣを複数のフレームに該当する時間区間を占有しつつ送信する。ここで、上記複数のフレームは、エラー検出チャンネルの１つの送信周期内で送信されたフレームに該当する。
【０１０１】
図１８は、本発明の第４の実施形態による移動端末機からの制御情報及びＣＲＣの送信を示す。図示するように、エラー検出チャンネルを介して送信された１つのＣＲＣは、４つのフレームに該当する時間区間を占有して送信される。すなわち、ｉ＋１番目のフレームに送信された制御情報のためのＣＲＣは、ｉ＋１番目〜ｉ＋４番目のフレームに該当する時間区間を占有して送信される。
【０１０２】
第４の実施形態によるエラー検出チャンネルを送信する方式は、次のような長所を有する。一番目に、ＣＲＣが占有する時間区間が増加するに従って、エラー検出チャンネル信号の受信性能を時間ダイバーシティ（time diversity）によって向上させる。二番目に、エラー検出チャンネル信号が多くのフレームを介して分散されるに従って、エラー検出チャンネルによる干渉も多くのフレームを介して分散され、これによって、複数の移動端末機が同時にエラー検出チャンネルを送信する場合に、逆方向システム容量を増加させることができる。
【０１０３】
図１９は、本発明の第４の実施形態による複数の移動端末機からの制御情報及びＣＲＣの送信を示す。１つの基地局と通信して逆方向制御チャンネル信号及び逆方向エラー検出チャンネル信号を送信する移動端末機は、第１のグループ、第２のグループ、第３のグループ、及び第４のグループに分けられる。グループ内の各移動端末機は、該当グループに割り当てられた時間区間でエラー検出チャンネルを使用する。このように、移動端末機が送信するエラー検出チャンネル信号の各時間区間を可能な限り異なって設定すると、エラー検出チャンネルによって発生する干渉量を分散させ、結果的に、逆方向システム容量を増加させることができる。
【０１０４】
［第５の実施形態］
【０１０５】
図２０は、本発明の第５の実施形態による移動端末機がランダムに送信するＣＲＣを示す。本実施形態において、移動端末機は、フレームごとに制御情報を送信しつつ、あらかじめ決定されたフレームの周期内でランダムに選択されたフレームでＣＲＣを送信する。すなわち、ＣＲＣがランダムに送信される１つのフレームは、フレーム周期ごとに（ここでは、４つのフレームごとに）変化する。このように、移動端末機がＣＲＣをランダムに送信すると、複数の移動端末機がエラー検出チャンネル信号を送信する場合にも、特定の時間区間で複数の移動端末機がＣＲＣを同時に送信する可能性が減少する。このとき、エラー検出チャンネルによる干渉が分散される。ここで、移動端末機がＣＲＣを送信するフレームを選択する規則は、移動端末機と基地局との間であらかじめ約束されているか、又は、基地局で検出されなければならない。
【０１０６】
［第６の実施形態］
【０１０７】
図２１は、本発明の第６の実施形態による移動端末機が複数の制御チャンネルに対するＣＲＣを送信する方式を示す。
【０１０８】
移動端末機が送信する制御チャンネル（又は制御チャンネル信号）は、相互に異なる拡散コードと区別される第１及び第２の制御チャンネル（制御チャンネル１及び２）を含む。これは、多量の制御情報の送信を可能にする。２つ以上の制御チャンネルが送信され、それぞれの制御チャンネルが異なる符号化方式を用いる場合に、移動端末機は、２つ以上の制御チャンネルに対応する２つ以上のエラー検出チャンネルを送信する。図２１において、第１の制御チャンネルのためのＣＲＣは、ｉ＋１番目及びｉ＋５番目のフレームで送信され、一方、第２の制御チャンネルのためのＣＲＣは、ｉ＋３番目及びｉ＋７番目のフレームで送信される。上述した方式と同様に、それぞれの制御チャンネルのために、エラー検出チャンネルに割り当てられたフレーム区間に関する情報は、基地局と移動端末機との間であらかじめ約束される。
【０１０９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１１０】
【図１】典型的なＲ−ＲＩＣＨの構成を示す図である。
【図２】移動通信システムにおける移動端末機がＲ−ＲＩＣＨ信号を送信するＲ−ＲＩＣＨ送信器の構成を示すブロック図である。
【図３】本発明の第１の実施形態による移動端末機からの制御情報及びＣＲＣの送信を示す図である。
【図４】本発明の第１の実施形態による移動端末機から制御チャンネル信号を送信する制御チャンネル送信器の構成を示すブロック図である。
【図５】図３の制御チャンネル送信器に対応する制御チャンネル受信器の構成を示すブロック図である。
【図６】本発明の第１の実施形態による移動端末機から制御情報及びＣＲＣを送信する方式を示すフローチャートである。
【図７】本発明の第１の実施形態による基地局が制御情報及びＣＲＣを受信する方式を示すフローチャートである。
【図８】本発明の第２の実施形態による移動端末機からの制御情報及びＣＲＣの送信を示す図である。
【図９】本発明の第２の実施形態による移動端末機から制御チャンネル信号を送信する制御チャンネル送信器の構成を示すブロック図である。
【図１０】図９の制御チャンネル送信器に対応する制御チャンネル受信器の構成を示すブロック図である。
【図１１】本発明の第２の実施形態による移動端末機から制御情報及びＣＲＣを送信する方式を示すフローチャートである。
【図１２】本発明の第２の実施形態による基地局が制御情報及びＣＲＣを受信する方式を示すフローチャートである。
【図１３】本発明の第３の実施形態による移動端末機からの制御情報及びＣＲＣの送信を示す図である。
【図１４】本発明の第３の実施形態による移動端末機から制御チャンネル信号及びエラー検出チャンネル信号を送信する制御チャンネル及びエラー検出チャンネル送信器の構成を示すブロック図である。
【図１５】図１４の制御チャンネル及びエラー検出チャンネル送信器に対応する制御チャンネル及びエラー検出チャンネル受信器の構成を示すブロック図である。
【図１６】本発明の第３の実施形態による移動端末機から制御情報及びＣＲＣを送信する方式を示すフローチャートである。
【図１７】本発明の第３の実施形態による基地局が制御情報及びＣＲＣを受信する方式を示すフローチャートである。
【図１８】本発明の第４の実施形態による移動端末機からの制御情報及びＣＲＣの送信を示す図である。
【図１９】本発明の第４の実施形態による複数の移動端末機からの制御情報及びＣＲＣの送信を示す図である。
【図２０】本発明の第５の実施形態による移動端末機がランダムに送信するＣＲＣを示す図である。
【図２１】本発明の第６の実施形態による移動端末機が複数の制御チャンネルに対するＣＲＣを送信する方式を示す図である。
【符号の説明】
【０１１１】
４１０  ＣＲＣ生成器
４２０  テールビット生成器
４３０  畳込み符号化器
４４０  反復器及びパンクチャラー
４５０  ウォルシュ拡散器
４６０  ブロック符号化器
４７０  反復器及びパンクチャラー
４８０  ウォルシュ拡散器
４９０  制御器
５１０  ウォルシュ逆拡散器
５２０  結合器
５３０  ビタビ復号化器
５４０  ＣＲＣ検査器
５５０  結合器
５６０  ブロック復号化器
５７０  制御器
５８０  基準点制御器
９１０  制御情報貯蔵装置
９２０  符号化器
９３０  反復器及びパンクチャラー
９４０  ウォルシュ拡散器
９５０  ＣＲＣ生成器
９６０  ＣＲＣ貯蔵装置
１０１０  ウォルシュ逆拡散器
１０２０  結合器
１０３０  ブロック復号化器
１０４０  ＣＲＣ貯蔵装置
１０５０  ＣＲＣ検査器
１０６０  基準点制御器
１０７０  制御器
１０８０  制御情報貯蔵装置
１４１０  ブロック符号化器
１４２０  反復器／パンクチャラー
１４３０  ウォルシュ拡散器
１４５０  ブロック符号化器
１４６０  反復器／パンクチャラー
１４７０  ウォルシュ拡散器
１４８０  制御器
１５１０  ウォルシュ逆拡散器
１５２０  結合器
１５３０  ブロック復号化器
１５４０  ウォルシュ逆拡散器
１５５０  結合器
１５６０  ブロック復号化器
１５７０  ＣＲＣ検査器
１５８０  制御器
１５９０  基準点制御器
【図１】
2006520121.tif 000005
【図２】
2006520121.tif 000006
【図３】
2006520121.tif 000007
【図４】
2006520121.tif 000008
【図５】
2006520121.tif 000009
【図６】
2006520121.tif 000010
【図７】
2006520121.tif 000011
【図８】
2006520121.tif 000012
【図９】
2006520121.tif 000013
【図１０】
2006520121.tif 000014
【図１１】
2006520121.tif 000015
【図１２】
2006520121.tif 000016
【図１３】
2006520121.tif 000017
【図１４】
2006520121.tif 000018
【図１５】
2006520121.tif 000019
【図１６】
2006520121.tif 000020
【図１７】
2006520121.tif 000021
【図１８】
2006520121.tif 000022
【図１９】
2006520121.tif 000023
【図２０】
2006520121.tif 000024
【図２１】
2006520121.tif 000025
【国際調査報告】
2006520121.tif 000026
2006520121.tif 000027